(57)【要約】【課題】電気炉における炉体周りの複数のメンテナンス対象部を、高所作業車や新たな足場を用いなくても、予め設定してある足場を用いてメンテナンス作業することを可能とし、以てメンテナンス対象部に対するメンテナンス作業を行い易くする。【解決手段】炉体１６を中心軸線回りに回転させる回転装置を備えた電気炉で、炉体１６に備えてある機能部であってメンテナンスを必要とする、周方向に離れた位置の複数個所のメンテナンス対象部としての出湯口２７，開閉装置７２のそれぞれを、回転装置による炉体１６の回転とともに周方向に位置移動させることで、予め設定してあるスライドデッキ６５の位置まで持ち来たし、メンテナンス作業する。【選択図】        図１０
2016090153.tif 000002
【特許請求の範囲】
【請求項１】
（ａ）円筒状の周壁部及び炉底部を備えた炉体と、
（ｂ）炉蓋の側に設けられた複数の電極と、
（ｃ）前記炉体を中心軸線回りに回転させる回転装置と、
を備え、前記電極と該炉体内に装入された金属材料との間に発生させたアークの熱で該金属材料を溶解する電気炉のメンテナンス方法であって、
前記炉体に備えてある機能部であってメンテナンスを必要とする、周方向に離れた位置の複数個所のメンテナンス対象部のそれぞれを、前記回転装置による前記炉体の回転とともに周方向に位置移動させることで、予め設定してある共通のメンテナンス用足場の位置まで持ち来たし、メンテナンス作業することを特徴とする電気炉のメンテナンス方法。
【請求項２】
（ａ）円筒状の周壁部及び炉底部を備えた炉体と、
（ｂ）炉蓋の側に設けられた複数の電極と、
（ｃ）前記炉体を中心軸線回りに回転させる回転装置と、
を備え、前記電極と該炉体内に装入された金属材料との間に発生させたアークの熱で該金属材料を溶解する電気炉のメンテナンス方法であって、
炉内メンテナンスの際の進入口となる出滓口を、前記回転装置による前記炉体の回転とともに周方向に位置移動させ、メンテナンス作業することを特徴とする電気炉のメンテナンス方法。
【請求項３】
請求項１，２の何れかにおいて、前記電気炉が、溶解時に前記回転装置により炉体を電極に対して回転させることで、金属材料に対する電極による加熱位置を周方向に相対的に変化させるものであることを特徴とする電気炉のメンテナンス方法。
【発明の詳細な説明】
【技術分野】
【０００１】
この発明は電気炉のメンテナンス方法に関し、詳しくは炉体を電極に対して回転させる回転装置を備えた電気炉のメンテナンス方法に関する。
【背景技術】
【０００２】
金属スクラップ等の金属材料を溶解する溶解炉として、従来、炉体内に挿入した３本の電極と、炉体内の金属材料との間にアークを発生させ、アーク熱によって金属材料を溶解する三相交流式アーク炉が広く用いられている。
この種電気炉において、出湯口が詰まってしまうことがある。そうなると溶湯が出湯口から出てこなくなってしまうので、出湯口を酸素で洗ったりして詰りを解消し、出湯口を開放するなどの処置が必要である。このような処置或いは他の処置を含めて、出湯口に対してはこれを正常に機能させるためのメンテナンスを行う必要がある。
【０００３】
ところが電気炉設備にあっては、出湯口からの湯を受けるための取鍋を出湯口直下に配置するための空間が必要である等の理由により、出湯口の位置が高所位置となる。そこで一般には出湯口についてはメンテナンス作業のための足場が特別に設けられることが多い。
その足場としては、出湯口直下の位置と退避位置との間で水平方向に直進移動するスライドデッキや、旋回移動によって退避位置と出湯口直下の位置との間で移動するデッキ等が設けられていることが多い。
【０００４】
ところで電気炉設備にあっては、溶解時に出湯口を蓋する出湯口蓋の開閉装置や、電気炉の操業に際してメンテナンスが必要なその他の付帯装置が、主として炉体の外周側の位置の高所に設置されている。
これらの装置は、炉体からの熱を受けて故障したり壊れたりし易く、この場合、故障を直したり部品交換や装置全体の取替えをしたりなどのメンテナンスを行う必要がある。
【０００５】
しかしながら従来、出湯口のメンテナンスのための足場は用意されているものの、上記出湯口蓋の開閉装置などをメンテナンスするための足場は用意されておらず、メンテナンスの必要が生じたときには、やむなく高所作業車を現場まで持ってきたり、新たに足場を設置したりして、メンテナンスのための高所作業を行っているのが実情である。
しかしながら高所作業車や新たな足場の設置は準備に時間がかかるため、大きな生産ロスにつながる。加えて高所作業車を用いての高所作業は、不安定な場所や姿勢であるいは狭い場所で行わなければならず、作業性や安全性に問題がある。
【０００６】
電気炉設備におけるその他の問題として、炉内の耐火物の修理等のための炉内メンテナンスの問題がある。
炉内メンテナンスのために炉内に入るパターンとしては、炉体上端の大きな解放部（直径が例えば７メートル位の大きさ）である材料の装入口から梯子を降ろし、これを伝って降りて行くパターンと、他に、出滓口から炉内に進入するパターンとがある。
装入口は出滓口に比べて高所（炉体の高さは４〜５メートル位ある）であることから、出滓口からの炉内への進入がより安全且つ作業負担が少ないパターンと言える。
【０００７】
しかしながら従来において、出滓口は、一般に炉体周りを取り囲んで炉体と一体に傾動するプラットフォームと、更にそのプラットフォーム周りの、固定の作業フロアとの間に生ずる大きな開口部（隙間）に直面して（臨んで）いるため、作業者が出滓口から炉内に進入するには足場板を固定の作業フロアからプラットフォームに、若しくは直接出滓口に跨って掛け渡し、その足場板を伝って出滓口に到り、そこから炉内に進入しなければならない。
前述したように作業フロア，プラットフォーム，上記の足場の何れもが高所であり、固定の作業フロアとプラットフォーム若しくは出滓口との間の開口部を足場板を伝って出滓口まで通過し、そこから炉内に出入りする作業は危険な作業となる。また、足場設置のための作業負荷も生じる。
【０００８】
尚、本発明の先行技術として下記特許文献１，特許文献２には、炉体を固定状態の電極に対して回転させるようにした電気炉が開示されている。
この回転装置を備えた電気炉では、溶解中に炉体を電極に対し回転させ、当初コールドスポットにあった金属材料をホットスポットに、またホットスポットに位置していた金属材料をコールドスポットに位置移動させることでホットスポットとコールドスポットとで溶解の不均一の生じていた問題を解決することが可能である（ここでは炉体を電極に対して周方向に約６０度相対回転させることで、当初ホットスポットの周方向の中心部に位置していた電極を隣接するコールドスポットの周方向中心部に位置させるようにしている）。
但しこれらの特許文献には本発明の解決手段について開示するところはなく、本発明とは別異のものである。
【先行技術文献】
【特許文献】
【０００９】
【特許文献１】特開昭６０−１２２８８６号公報
【特許文献２】特開２０１４−４０９６５号公報
【発明の概要】
【発明が解決しようとする課題】
【００１０】
本発明は以上のような事情を背景とし、電気炉における炉体周りの複数のメンテナンス対象部を、高所作業車や新たな足場を設置しなくても、予め設定してある共通の足場を用いてメンテナンス作業することを可能とし、以てメンテナンス対象部に対するメンテナンス作業を行い易くすることを目的としてなされたものである。
また他の目的として、出滓口を進入口として炉内メンテナンスを行う際のメンテナンス作業を安全に且つ容易に行うことを可能とするメンテナンス方法を提供することを目的としてなされたものである。
【課題を解決するための手段】
【００１１】
而して請求項１のものは、（ａ）円筒状の周壁部及び炉底部を備えた炉体と、（ｂ）炉蓋の側に設けられた複数の電極と、（ｃ）前記炉体を中心軸線回りに回転させる回転装置と、を備え、前記電極と該炉体内に装入された金属材料との間に発生させたアークの熱で該金属材料を溶解する電気炉のメンテナンス方法であって、前記炉体に備えてある機能部であってメンテナンスを必要とする、周方向に離れた位置の複数個所のメンテナンス対象部のそれぞれを、前記回転装置による前記炉体の回転とともに周方向に位置移動させることで、予め設定してある共通のメンテナンス用足場の位置まで持ち来たし、メンテナンス作業することを特徴とする。
【００１２】
請求項２のものは、（ａ）円筒状の周壁部及び炉底部を備えた炉体と、（ｂ）炉蓋の側に設けられた複数の電極と、（ｃ）前記炉体を中心軸線回りに回転させる回転装置と、を備え、前記電極と該炉体内に装入された金属材料との間に発生させたアークの熱で該金属材料を溶解する電気炉のメンテナンス方法であって、炉内メンテナンスの際の進入口となる出滓口を、前記回転装置による前記炉体の回転とともに周方向に位置移動させ、メンテナンス作業することを特徴とする。
【００１３】
請求項３のものは、請求項１，２の何れかにおいて、前記電気炉が、溶解時に前記回転装置により炉体を電極に対して回転させることで、金属材料に対する電極による加熱位置を周方向に相対的に変化させるものであることを特徴とする。
【００１４】
以上のように請求項１の方法は、炉体に備えてある機能部であって複数個所のメンテナンス対象部を、回転装置による炉体の回転とともに周方向に位置移動させることで、予め設定してある共通のメンテナンス用足場の位置まで持ち来し、メンテナンス作業するもので、この方法によれば、例えば１箇所にメンテナンス用足場を設けただけであっても、複数のメンテナンス対象部のそれぞれを、その足場を使いながら支障なくメンテナンス作業することが可能となる。
【００１５】
例えば出湯口のメンテナンスのための足場として、もともとデッキが設けられているような場合には、複数のメンテナンス対象部を、炉体の回転によってそのデッキの位置まで持ち来すことで、それらメンテナンス対象部をメンテナンス作業することができる。
この場合、デッキ自体が出湯口用としてもともと用意されているものであるため、敢えて新規にメンテナンス足場を設置しなくても済む利点が得られる。
但し出湯口用のメンテナンス用の足場としてデッキ以外の足場が設けられている場合には、それを足場として使うことができるし、あるいはまた、出湯口用のメンテナンス用足場とは別途に他の足場を設けて、その足場の位置まで出湯口以外の複数個所のメンテナンス対象部を炉体の回転により持ち来し、メンテナンス作業するといったことも可能である。
【００１６】
この請求項１の方法では、上記メンテナンス対象部の一つを出湯口とし、他の一つを出湯口蓋の開閉装置とし、メンテナンス作業することができる。
【００１７】
一方、請求項２のメンテナンスのための方法では、炉内メンテナンスの際の進入口となる出滓口を、回転装置による炉体の回転とともに周方向に位置移動させ、メンテナンス作業する。
このようにすることで、高所での開口部を有さない安全な進入スペースを確保したうえで炉内に侵入してメンテナンス作業をすることができる。
【００１８】
炉体が回転しない従来の電気炉設備はもとより、炉体を回転させる装置を備えた電気炉設備にあっても、従来、炉内メンテナンスの際の出滓口の位置は、前述したように炉体と一体に傾動するプラットフォームと、その周りの固定のフロアとの間に生ずる大きな開口部（隙間）に直面した（臨んだ）位置にある。
そのような状況で炉内メンテナンスのために作業者が、架け渡した足場板を通って出滓口から炉内に出入りするのは危険を伴うが、請求項２の方法では、炉体の回転により出滓口を周方向に回動させ、位置移動させることで、安全性高く出滓口を通じて炉内メンテナンス作業等を行うことが可能となる。
【００１９】
具体的には、例えばプラットフォームの、上記開口部から大きく離れた場所まで、炉体の回転により出滓口を回動させ、位置移動させることで、プラットフォームの特定個所を足場としつつ、安全に出滓口を通じての炉内メンテナンス等を行うことが可能となる。
勿論プラットフォーム以外に他のメンテナンス用足場を設定しておいて、そこに出滓口を持ち来すことも可能である。
【００２０】
本発明は、上記電気炉が、溶解時に上記の回転装置により炉体を電極に対し回転させることで、金属材料に対する電極による加熱位置を周方向に相対変化させるものである場合に適用して好適である。
【発明の効果】
【００２１】
以上のような本発明によれば、電気炉における炉体周りの複数のメンテナンス対象部を、高所作業車や新たな足場を用いなくても、予め設定してある共通の足場を用いてメンテナンス作業することが可能となり、以てメンテナンス対象部に対するメンテナンス作業が行い易くなる。また出滓口を進入口として炉内メンテナンスを行う際のメンテナンス作業を安全に且つ容易に行うことが可能となる。
【図面の簡単な説明】
【００２２】
【図１】本発明の一実施形態で用いる電気炉の構成を示した図である。
【図２】図１の電気炉を異なる断面で示した図である。
【図３】図１の回転装置の全体斜視図である。
【図４】同回転装置の全体平面図である。
【図５】図４のＶ−Ｖ断面図である。
【図６】図４のVI−VI断面図である。
【図７】操業方法の内容を工程毎に示した説明図である。
【図８】電気炉関連設備の配置を示した図である。
【図９】出湯口蓋開閉装置の構成を示した図である。
【図１０】同実施形態の作用説明図である。
【図１１】電気炉及びその周辺を示した平面図である。
【図１２】図１０とは異なる作用説明図である。
【発明を実施するための形態】
【００２３】
次に本発明を金属材料（ここでは鉄鋼材料）を溶解する電気炉に適用した場合の実施形態を図面に基づいて詳しく説明する。
図１及び図２は本実施形態で用いる電気炉の構成を示した図である。
図１において、１０は電気炉で、円筒状の周壁部１２及び炉底部１４を備えた炉体１６と、炉体１６の上端の装入口１８を開閉可能に閉鎖する炉蓋２０と、炉蓋２０を挿通して炉体１６内に下向きに挿入される３本の電極２２とを備えている。
【００２４】
各電極２２は、平面視略円形をなした炉蓋２０の中心近くに、炉体１６の中心軸線周りに等間隔（１２０°間隔）で配置されており、図示しない昇降装置にて個別に高さ調節自在に支持され、電極２２の下端と炉体１６内に装入された金属材料との上下方向の離間距離を調節し得るように構成されている。
【００２５】
本実施形態の電気炉１０は、ＥＢＴ炉であり、図２で示したように炉底部１４が炉体１６の周壁部１２よりも径方向外方に一部突出して棚状の突出部２６を形成しており、そしてそこにこれを、上下に貫通した出湯口（出鋼口）２７が設けられている。
炉体１６内の金属材料の溶湯（溶鋼）は、炉体１６全体を傾動させることで、出湯口２７から取鍋２３（図１）に向けて出湯される。
【００２６】
また出湯口２７と径方向の反対位置（対称位置）には出滓口２９が設けられている。出滓口２９は炉体１６の周壁部１２を内外方向に貫通して設けられている。
本例では炉体１６全体を上記出湯時とは反対の方向に傾動させることで、溶解操業の際に生じるスラグを出滓口２９より外部に排出することができる。
【００２７】
本実施形態の電気炉１０は、炉体１６が傾動可能で且つ炉蓋２０及び電極２２に対して相対回転可能となっている。
図１において、３４は炉体１６を支持したまま傾動し、炉体１６を傾動させる傾動体で、地面に設けられた炉台３６により傾動自在に支持されている。
傾動体３４を支持する炉台３６の上面及びこれに接する傾動体３４の下向きに凸曲形状をなす脚部３７の下面にはそれぞれ係合歯が形成されており、傾動の際これら係合歯の係合により炉台３６に対する傾動体３４のずれが防止されている。
傾動体３４は炉体１６を支持するための傾動床３５を有し、炉体１６は後述する回転装置３２を介して、傾動体３４の傾動床３５で支持されている。
【００２８】
本発明では回転装置を次のように構成することができる。
即ち回転装置は、イ)炉体を回転可能に傾動体上に支持する支持手段と、ロ)炉体と傾動体との間に設けられ、炉体をその中心軸線周りに回転案内するガイドレールと、ハ)炉体の側に設けられた、回転駆動力を受ける被駆動部と、ニ)傾動体側に設けられ、被駆動部と係合して、回転駆動力を被駆動部に伝える駆動部材と、ホ)傾動体側に設けられ、駆動力を発生させる駆動源と、を備えて構成し、傾動体と一体に傾動する形態で設けておくことができる。
【００２９】
この実施形態において、回転装置は具体的には以下のように構成されている。
先ずは傾動機構について説明する。
図２に示すように、傾動体３４の図中右端には駆動シリンダ３８の一端側が回転可能に連結されている。駆動シリンダ３８の他端は地面側に回転可能に連結されており、この駆動シリンダ３８を伸長させることで傾動体３４は炉体１６とともに図中左側が下向き、右側が上向きになる様に傾動する。これにより炉体１６内の溶鋼が出湯口２７から取鍋２３に向けて出湯される。
【００３０】
図３は本実施形態における回転装置３２の全体斜視図を、図４はその平面図を示している。
回転装置３２は多数の立壁を備えた円形リング状の支持フレーム４０を有しており、この支持フレーム４０の上面に炉体１６が載置固定されている。
リング状の支持フレーム４０の下面の内周部にはリング状歯車体４２が設けられ、その内周の円周面に沿って歯形が形成されている。
【００３１】
一方、歯車体４２の外周中間部は、図５で示すように外方に角型断面をなして突出し、ベアリング部材４４の内輪部４６を構成している。
内輪部４６を包むようにコ字形断面の外輪部４８が配設されており、外輪部４８の凹面と内輪部４６の凸面即ち上下面及び外周端面との間には、コロ軸受４９が介設されている。
【００３２】
このような構造により、支持フレーム４０はベアリング部材４４等に支持されて、そのリング中心回りに傾動床３５に平行な面内で回転可能となっている。これにより回転装置３２に支持された炉体１６が炉体１６の中心軸線を回転中心として電極２２に対し回転可能となる。
【００３３】
支持フレーム４０のリング内方の径方向対称位置の傾動床３５上にはギアボックス５０が設けられ（図４）、その内部にギア体が配設されている。図５において傾動床３５側には駆動源としての油圧モータ５２が設けてあり、その出力軸に歯車体５３が装着されている。
歯車体５３は傾動床３５側に立設された軸体５４に回転可能に支持された歯車体５５に噛合しており、この歯車体５５が上記リング状歯車体４２の歯形に噛合している。
【００３４】
これにより、油圧モータ５２を正逆回転させると、歯車体５３，５５，４２を介して支持フレーム４０が正逆回転させられる。
この実施形態では、支持フレーム４０,歯車体４２,ベアリング部材４４が支持手段を構成し、そのうちベアリング部材４４における内輪部４６,外輪部４８がガイドレールを兼ねて構成されている。
また歯車体４２の歯形が被駆動部を、歯車体５５，５３が駆動部を、更に油圧モータ５２が駆動源を構成している。
【００３５】
本実施形態では、油圧モータ５２によって、炉体１６の出湯口２７が出湯ヤードに正対した図４に示す原位置から反時計方向へ６０°の範囲で支持フレーム４０即ち炉体１６を回転させることができる。
【００３６】
両ギアボックス５０，５０の間の、支持フレーム４０の周方向中間位置にはストッパ機構５６が配設されている。ストッパ機構５６の詳細を図６に示す。図６において、支持フレーム４０には内方に向けて鞘部材５７が設けてある。鞘部材５７は円筒体で内方側の半部内周が内方に向けて漸次拡開するテーパ状に形成されている。
一方、傾動床３５側の架台５８上に駆動シリンダ５９によって内外方向へ直線進退させられる栓部材６０が設けられている。栓部材６０は外方側に位置する先端部が先端方向へ漸次縮径する円柱体となっており、栓部材６０の後端は駆動シリンダ５９のロッド６１に連結されている。
【００３７】
支持フレーム４０が原位置にある時には、図６に示すように、鞘部材５７が栓部材６０に正対しており、駆動シリンダ５９によって栓部材６０を進出させると、栓部材６０が鞘部材５７内に進入して、栓部材６０のテーパ状の先端部が鞘部材５７のテーパ状の半部内に嵌合する。これにより、支持フレーム４０、即ち炉体１６の回動が確実に規制され、この状態で炉体１６の出湯傾動ないし出滓傾動を行うことができる。
【００３８】
次に金属材料を溶解するための電気炉１０の操業方法について図７を用いて説明する。
通常、スクラップ等の金属材料は複数回に分けて炉内に装入される。本例では金属材料を２回に分けて炉内に装入するものとする。
先ず、炉蓋２０を旋回回避させ炉体１６の装入口１８を開放状態とし、金属材料を保持するスクラップバケットをクレーンにて装入口１８の上方にまで移動させ、スクラップバケット内の金属材料を炉内に装入する。
【００３９】
材料装入を終えたら炉蓋２０及び電極２２を炉体１６上部に載置し、電極２２先端より下向きのアークを発生させ、電極２２の先端部分に位置する材料を優先的に溶かし、電極２２は金属材料中を掘り進んで行く（この工程を以下ボーリング工程とする）。図７（Ａ）はこのボーリングを行っている状態を示している。
ボーリングが完了し電極２２が炉底部近くに到ったところで、電極２２周囲の材料を溶解させていく（図７（Ｂ））。
これにより電極２２の周りに未溶解金属が無くなると、炉体１６を電極２２に対して相対回転させることが可能となる。尚、図中炉内を網点で示した部分が未溶解金属材料、白地で示した部分が溶解金属材料である。この段階ではいまだ極端な溶解の不均一は生じていない。
【００４０】
次に溶解が進み炉内の未溶解金属材料の嵩が減った後、残りの金属材料の追装を行う。
具体的には炉蓋２０を旋回回避させ、炉体１６を原位置から図中反時計方向に６０°回転させて、その後に金属材料を追装する（図７（Ｃ））。その後炉蓋２０及び電極２２を炉体１６上部に載置し、再びボーリング工程を含むアーク放電による金属材料の溶解を行うと、炉体１６の周方向に三箇所ずつのホットスポットとコールドスポットが生じて金属材料が不均一に溶解される（図７（Ｄ））。
【００４１】
そこで炉蓋２０を上方に離間させた状態で炉体１６を図中時計方向に原位置まで６０°回転させ、未溶解の金属材料をホットスポットに移動させる（（図７（Ｅ））。この状態で炉蓋２０を閉鎖して電極２２からの放電を開始することで未溶解の金属材料に対して電極２２からの加熱を効果的に行うことができる。そして図７（Ｆ）で示すように炉内に装入された金属材料の溶解を完了する。
【００４２】
図８は、電気炉１０における炉体１６の下側に設置されている電気炉関連設備の配置を示した図である。
本図及び図１で示すように炉体１６の下方図中左右両側にはそれぞれ炉台３６が配置され、これら炉台３６及び傾動体３４によって炉体１６が地面から上方に設置されている。そして高所にある出湯口２７の直下には、取鍋２３の配置空間が形成されている。取鍋２３は、通常時はその空間、即ち出湯口２７の下に待機させられている。
取鍋２３は台車６６上に載置されており、図８中上下方向に延びるレール６７上を図中上下方向に移動可能とされている。
【００４３】
かかる本実施形態の電気炉１０においては、出湯口２７を正常に機能させるため出湯口２７のメンテナンスが必要であり、そのための足場として出湯口２７よりも低い位置にスライドデッキ６５が配置されている。
図示されたスライドデッキ６５は退避位置に位置しているが、出湯口２７のメンテナンスを行う際には、図中の２点鎖線で示すように直進して出湯口２７直下の位置に移動し、メンテナンスするための足場としての役割を果たす。
【００４４】
一方、炉体１６の外周部における高所位置、詳しくは出湯口２７下面周りには、出湯機能を正常に維持するための必要な装置が取り付けられている。
その一例として、図８に出湯口２７の図中右側に取り付けられた出湯口蓋開閉装置７２が示されている。
【００４５】
図９で示すように出湯口蓋開閉装置７２は、先端に出湯口蓋７４を保持したロッドを、駆動シリンダ７３からの上下の伸縮動作でリンク機構７５を介し出湯口蓋７４とともに上下及び左右方向に円弧状軌跡を描いて平行移動させ、出湯口蓋７４を出湯口２７直下の出湯口閉鎖位置と出湯口２７から離間した出湯口解放位置との間で移動させる。
【００４６】
出湯口蓋開閉装置７２は炉体１６の外周部の高所において出湯口２７の下面近くに設置されているため、炉体１６からの熱を受けて故障したり壊れたりし易く、故障を直したり部品交換や装置全体の取替えをしたりなどのメンテナンスを行う必要がある。
【００４７】
しかしながら図８で示すように、メンテナンス対象部としてのこの出湯口蓋開閉装置７２は出湯口２７から周方向に離れた位置に取り付けられており、駆動シリンダ７３が設けられている装置後端部分は特に出湯口２７から離れた位置となっている。
このため炉体１６を原位置に位置固定した状態では、スライドデッキ６５を炉体１６に対して接近移動させても、これを出湯口蓋開閉装置７２のメンテナンス用の足場として利用することができない。
【００４８】
そこで本実施形態では、周方向に離れた位置にある出湯口蓋開閉装置７２のメンテナンスを行う場合、出湯口蓋開閉装置７２を炉体１６とともに周方向に位置移動させ、出湯口２７のメンテナンス用に用意してあるスライドデッキ６５の位置（詳しくは延出動作させた後の先端部）まで持ち来す。そして出湯口２７のメンテナンスに用いるためのスライドデッキ６５を、周方向に離れた位置にある出湯口蓋開閉装置７２のメンテナンスを行なうための共通の足場とする。
【００４９】
図１０は出湯口蓋開閉装置７２のメンテナンスを行なう場合を示したものである。
炉体１６を原位置より反時計方向に約６０°回転させると、出湯口２７に替わって出湯口蓋開閉装置７２がスライドデッキ６５上に位置するため、出湯口蓋開閉装置７２のメンテナンス、例えば駆動シリンダの交換その他所要作業を別途に他の足場を設けることなく、スライドデッキ６５を共通の足場として容易に行うことができる。
尚、出湯口蓋開閉装置７２はメンテナンス対象部の一例であり、出湯口２７から周方向に離れた位置に取り付けられたその他の装置についても同様の方法で、スライドデッキ６５を共通の足場として容易にメンテナンスを行うことができる。
【００５０】
図１１は、電気炉１０及びその周辺を示した平面図である。
炉体１６の周りには図１及び図２にも示すように炉体１６と一体に傾動する傾動体３４に備えられたプラットフォーム２５が設けられており、更にそのプラットフォーム２５の周りには、固定の（傾動しない）作業フロア８０が設けられている。
プラットフォーム２５には、図示を省略した電気炉１０の附帯設備が設置されており、炉体１６とともにプラットフォーム２５が傾動する際、これら電気炉１０の附帯設備が作業フロア８０の開口端部と干渉しないよう、更には出滓口を下向きに傾動させて、スラグ排出動作を支障なく行えるように、出滓口側（図中下方向）では、プラットフォーム２５と固定の作業フロア８０との間に大きな開口部８１が設けられている。
【００５１】
このため炉内メンテナンスの際、従来にあっては作業者が出滓口２９から炉内に進入するためには、固定の作業フロア８０とプラットフォーム２５との間の開口部に、若しくは固定の作業フロア８０と出滓口２９との間の開口部に足場板を掛け渡さなければならず、出滓口２９から炉内１６に出入りする作業が困難なものとなっていた。
【００５２】
そこで本実施形態では、図１２で示すように、回転装置３２により炉体１６を回転させ、炉内メンテナンスの際の進入口となる出滓口２９を、プラットフォーム２５に設けられている切欠部９２及びプラットフォーム２５と作業フロア８０との間の開口部８１から大きく離れた場所に位置移動させる。
このようにすることで、作業者は大きな開口部に架け渡した足場板を通ることなく、作業フロア８０からプラットフォーム２５を経由して出滓口２９に進入し、メンテナンス作業を行うことができる。
【００５３】
以上本発明の実施形態を詳述したがこれはあくまで一例示である。例えば、鉄鋼以外の金属を溶解する電気炉のメンテナンスに適用することも可能である等、本発明はその趣旨を逸脱しない範囲において種々変更を加えた態様で実施可能である。
【符号の説明】
【００５４】
１０  電気炉
１２  周壁部
１４  炉底部
１６  炉体
１８  装入口
２０  炉蓋
２２  電極
２７  出湯口
２９  出滓口
３２  回転装置
６５  スライドデッキ
７２  開閉装置
８０  作業フロア
【図１】
2016090153.tif 000003
【図２】
2016090153.tif 000004
【図３】
2016090153.tif 000005
【図４】
2016090153.tif 000006
【図５】
2016090153.tif 000007
【図６】
2016090153.tif 000008
【図７】
2016090153.tif 000009
【図８】
2016090153.tif 000010
【図９】
2016090153.tif 000011
【図１０】
2016090153.tif 000012
【図１１】
2016090153.tif 000013
【図１２】
2016090153.tif 000014